(57)【要約】      （修正有）【課題】容易且つ安定して取り付けることができ、強度も有効に担保されたハンガーを具備する椅子を提供する。【解決手段】ハンガー本体６３とこのハンガー本体６３を取り付けるためのハンガー取付具６４とを有したハンガーＨＧを背凭れ６に支持させ得るように構成した椅子であって、前記背凭れ６が、使用者に把持され得るハンドル部６２２と、このハンドル部６２２を把持させるべく手指がに前記ハンガー取付具６４を挿通させ、前記ハンガー取付具６４の端部を開口部６２４の奥方に配された取付部６２１ｃに取り付けるように構成した。【選択図】図２６
2015084858.tif 000002
【特許請求の範囲】
【請求項１】
ハンガー本体とこのハンガー本体を取り付けるためのハンガー取付具とを有したハンガーを背凭れに支持させ得るように構成した椅子であって、
前記背凭れが手指が挿通し得る開口部を備えてなり、
当該開口部に前記ハンガー取付具を挿通させ、前記ハンガー取付具の端部を前記開口部の奥方に配された取付部に取り付けるように構成したことを特徴とする椅子。
【請求項２】
前記背凭れが使用者に把持され得るハンドル部を備えたものであり、
前記開口部が前記ハンドル部を把持させるべく後方に向かって開口したものである請求項１記載の椅子。
【請求項３】
前記ハンドル部が、上方からアクセスし得るように構成されている請求項２記載の椅子。
【請求項４】
前記ハンガー取付具が、前記背凭れから後方に突出したものであり、前記ハンガー本体を前記背凭れから離間させて支持している請求項１、２又は３記載の椅子。
【請求項５】
前記ハンガー取付具がボルト挿通孔を有した被装着部を備えており、この被装着部が前記背アウターシェルの外面よりも内側の位置に配されている請求項１、２、３又は４記載の椅子。
【請求項６】
前記ハンガー本体の全体が、内部に中空部を形成した閉ループ構造をなしており、前記ハンガー本体が前記ハンガー取付具に対して上下昇降可能に支持されている請求項１、２、３、４又は５記載の椅子。
【請求項７】
前記ハンガー本体の全体が弾性変形可能に構成されたものであり、
前記ハンガー本体が上下方向に対をなして延びる昇降部と、昇降部の上側に連続し巾方向に延びる衣類掛けとを有する請求項６記載の椅子。
【請求項８】
前記ハンガー取付具が、前記開口部の上下縁に接し得る大きさに設定されている請求項１、２、３、４、５、６又は７記載の椅子。
【請求項９】
前記ハンガー取付具が、前記開口部の背面視全域を略閉塞している請求項８記載の椅子。
【請求項１０】
前記背凭れが、背凭れ本体と、この背凭れ本体の後に配された背アウターシェルとを備えてなり、この背アウターシェルが前記開口部を備えている請求項１、２、３、４、５、６、７、８又は９記載の椅子。
【発明の詳細な説明】
【技術分野】
【０００１】
本発明は、オフィス等において好適に用いられる、背凭れにハンガーを取り付けてなる椅子に関するものである。
【背景技術】
【０００２】
従来、背凭れにハンガーを取り付けることにより、着座者の上着といった衣類を背凭れに掛けておくことも可能椅子が提案されている。その内の一例として、背凭れ上部に設けられた開口部にハンガーを取り付けるべく挟持させる態様も開示されている(例えば、特許文献１参照)。当該特許文献１に記載のものは当該開口部の一例として使用者に把持され得るように構成されたハンドル部にアクセスさせるために設けられた開口が開示されている。
【０００３】
しかしながら、上記特許文献１のようなものであると、開口部の形状や位置は、予めハンガーを取り付けるべく所要の態様に設定しなければならず、また、ハンガーの取付強度や取り付け態様も前記開口部の形状、位置、素材に依存しなければならない。
【先行技術文献】
【特許文献】
【０００４】
【特許文献１】特開２０１３−１０６６９４号公報
【発明の概要】
【発明が解決しようとする課題】
【０００５】
本発明は、背凭れの形状に拘わらず容易且つ安定して取り付けることができ、強度も有効に担保されたハンガーを具備する椅子を提供することを目的としている。
【課題を解決するための手段】
【０００６】
すなわち、本発明の椅子は次の構成をなしている。
【０００７】
請求項１に記載の椅子は、ハンガー本体とこのハンガー本体を取り付けるためのハンガー取付具とを有したハンガーを背凭れに支持させ得るように構成した椅子であって、前記背凭れが手指が挿通し得る開口部を備えてなり、当該開口部に前記ハンガー取付具を挿通させ、前記ハンガー取付具の端部を前記開口部の奥方に配された取付部に取り付けるように構成した。
【０００８】
請求項２に記載の椅子は、前記背凭れが使用者に把持され得るハンドル部を備えたものであり、前記開口部が前記ハンドル部を把持させるべく後方に向かって開口したものである。
【０００９】
請求項３に記載の椅子は、請求項２に係る構成において、前記ハンドル部が、上方からアクセスし得るように構成されている。
【００１０】
請求項４に記載の椅子は、請求項１、２又は３に係る構成において、前記ハンガー取付具が、前記背凭れから後方に突出したものであり、前記ハンガー本体を前記背凭れから離間させて支持している。
【００１１】
請求項５に記載の椅子は、請求項１、２、３又は４に係る構成において、請求項１又は２に係る構成において、前記ハンガー取付具がボルト挿通孔を有した被装着部を備えており、この被装着部が前記背アウターシェルの外面よりも内側の位置に配されている。
【００１２】
請求項６に記載の椅子は、請求項１、２、３、４又は５に係る構成において、前記ハンガー本体の全体が、内部に中空部を形成した閉ループ構造をなしており、前記ハンガー本体が前記ハンガー取付具に対して上下昇降可能に支持されている。
【００１３】
請求項７に記載の椅子は、請求項６に係る構成において、前記ハンガー本体の全体が弾性変形可能に構成されたものであり、前記ハンガー本体が上下方向に対をなして延びる昇降部と、昇降部の上側に連続し巾方向に延びる衣類掛けとを有する。
【００１４】
請求項８に記載の椅子は、請求項１、２、３、４、５、６又は７に係る構成において、前記ハンガー取付具が、前記開口部の上下縁に接し得る大きさに設定されている。
【００１５】
請求項９に記載の椅子は、請求項８に係る構成において、前記ハンガー取付具が、開口部の背面視全域を略閉塞している。
【００１６】
請求項１０に記載の椅子は、請求項１、２、３、４、５、６、７、８又は９に係る構成において、前記背凭れが、背凭れ本体と、この背凭れ本体の後に配された背アウターシェルとを備えてなり、この背アウターシェルが前記ハンドル部及び開口部を備えている。
【発明の効果】
【００１７】
本発明によれば、背凭れの形状に拘わらず容易且つ安定して取り付けることができ、強度も有効に担保されたハンガーを具備する椅子を提供することができる。
【図面の簡単な説明】
【００１８】
【図１】本発明の一実施形態を示す斜視図。
【図２】同実施形態における正面図。
【図３】同実施形態における背面図。
【図４】同実施形態における側面図。
【図５】同実施形態における平面図。
【図６】同実施形態における斜視図。
【図７】同実施形態における分解斜視図。
【図８】同実施形態における分解斜視図。
【図９】同実施形態における分解斜視図。
【図１０】同実施形態における分解斜視図。
【図１１】同実施形態におけるブッシュ等を示す拡大斜視図。
【図１２】図５におけるＷ−Ｗ線で切断した支持基部等を示す部分拡大断面図。
【図１３】同実施形態における内部構造を説明するための側面図。
【図１４】同実施形態における内部構造を説明するための側面図。
【図１５】同実施形態におけるブッシュ等を示す拡大側面図。
【図１６】同実施形態におけるブッシュ等を示す拡大側面図。
【図１７】同実施形態におけるブッシュ等を示す拡大側面図。
【図１８】同実施形態における分解斜視図。
【図１９】同実施形態における座インナーシェル等を示す平面図。
【図２０】同実施形態における座インナーシェル等を示す平面図。
【図２１】図２０におけるＸ−Ｘ線拡大断面図。
【図２２】同実施形態における支持基部等を示す斜視図。
【図２３】同実施形態における支持基部等を示す斜視図。
【図２４】同実施形態における背面図。
【図２５】同実施形態における支持基部等を示す斜視図。
【図２６】同実施形態における支持基部等を示す斜視図。
【発明を実施するための形態】
【００１９】
以下、本発明の一実施形態を、図１〜図２６を参照して説明する。
【００２０】
この実施形態は、本発明を、オフィス等において好適に使用される事務用回転椅子である椅子Ａに適用したものである。
【００２１】
椅子Ａは、椅子本体Ｃに物品たる災害対応用品セットＢを装着したものである。
【００２２】
椅子本体Ｃは、下端にキャスタ１１を有した脚１と、この脚１に支持された支持基部２と、この支持基部２の上に配された座支持部材３と、この座支持部材３の上に支持された座４と、基端部を前記支持基部２に枢着した背支桿５と、この背支桿５に支持された背凭れ６とを具備してなる。
【００２３】
しかして本実施形態に係る椅子は図１に示すように、背凭れ６にハンガーＨＧを取り付けてなる。当該ハンガーＨＧの具体的な構成は後に詳述する。また本実施形態では図１〜図２２を椅子Ａの基本構成を示す基本図とし、図２３〜図２６をハンガーＨＧの構成を説明するための説明図とする。なお前記基本図では説明の便宜上、図１以外の各図においてハンガーＨＧの図示を省略し、代わりにハンガーＨＧを装着せず、カバー６２２を該当箇所に装着した態様について説明する。以下、椅子ＡのハンガーＨＧ以外の基本構造について説明する。
【００２４】
脚１は、先端部下面にキャスタ１１を備え放射状に配された複数本の脚羽根１２と、これら脚羽根１２の集合部分に立設された脚支柱１３と、この脚支柱１３の主要部をなすガススプリング１３１とを具備してなる。ガススプリング１３１は、脚羽根１２に固定されたシリンダ１３１ａとこのシリンダ１３１ａに対して昇降可能なロッド１３１ｂを備えた通常のものでロッド１３１ｂの先端部に前記支持基部２が装着されている。ガススプリング１３１の先端には、当該ガススプリング１３１のロック及びロック解除を行うための操作ボタン１３１ｃが設けられている。操作ボタン１３１ｃの操作は、支持基部２に回転可能に取り付けられた昇降操作用レバー２４により行われる。
【００２５】
支持基部２は、支持基部本体２１と、この支持基部本体２１の下面側を覆う支持基部カバー２２とを備えたものである。
【００２６】
支持基部本体２１は、金属製のもので、底壁２１１と、この底壁２１１の両側辺から立設された左右の側壁２１２と、前記底壁２１１の後辺に立設された後壁２１３と、前記底壁２１１の後半部分に対応させて前記両側壁２１２間に設けられた天壁２１４とを備えたもので、前記ガススプリング１３１のロッド１３１ｂが前記底壁２１１及び天壁２１４に貫着されている。前記両側壁２１２の前端側には、後述するブッシュ２６を取り付けるための前後方向に延びる取付孔（図示せず）が形成されている。後壁２１３には後述する背傾動ロック機構８を構成するロック孔２１３ａが上下方向に所定の間隔をあけて複数列設けられている。支持基部２の前半部には前記取付孔に装着されたブッシュ２６の長孔２６１に関連させて後述する傾動反力発生機構が収容されている。なお、長孔２６１内には、前後方向に移動する往復動部材たる前軸ｊ１が配されている。
【００２７】
支持基部カバー２２は、樹脂製のもので、脚支柱１３が通過する通過孔２２１ａが形成された底壁２２１と、この底壁２２１の前縁から斜め前方に延びた傾斜壁２２２と、この傾斜壁２２２の前端縁から立設された前壁２２３と、前記底壁２２１及び傾斜壁２２２の左右両側縁からそれぞれ立設された左右の側壁２２４とを備えている。傾斜壁２２２は、外面側に取扱説明書を取り付けるための説明書取付部２２２ａを備えている。
【００２８】
座支持部材３は、金属製のもので、天壁３１と、この天壁３１の左右両側縁からそれぞれ下方に垂下させた左右の側壁３２と、これら各側壁３２の下縁から外方に向けて延出させた鍔３３とを備えたものである。左右の側壁３２の前端部は、前記支持基部２に配されたブッシュ２６の長孔２６１に挿通された前軸ｊ１を介して支持基部２に前後動可能に支持されている。左右の側壁３２の後端部は、前記背支桿５の途中に後軸ｊ２を介して枢着されている。
【００２９】
座４は、前記座支持部材３に固定された座受である座アウターシェル４１と、上面を座面４ｓとしており前記座アウターシェル４１上に案内レール機構４３を介して前後方向に移動可能に配された座本体４２と、座本体４２を座アウターシェル４１に対して移動不能にロックするためのロック機構４４とを備えたものである。
【００３０】
座アウターシェル４１は、合成樹脂製のもので、下面側の中央部分に前記座支持部材３が収容される凹陥部４１１を有するとともに上面に補強用のリブ４１２を備えており、前記座支持部材３の鍔３３上にビスｖ１を用いて固定されている。座アウターシェル４１の上面には、先端部ｓｔが基端部ｋｔよりも幅広に形成された突起４１３が複数本突設されている。座アウターシェル４１の下面には、前記ロック機構４４を構成するレバーユニット４５を取り付けるためのレバーユニット取付部４１４が設けられている。
【００３１】
座本体４２は、座アウターシェル４１の上に前後方向にスライド可能に配された座インナーシェル４２１と、この座インナーシェル４２１の上に設けられた座クッション（図示せず）と、この座クッション及び座インナーシェル４２１の周縁部を包みこむ張地である外装材４２２とを備えている。
【００３２】
座インナーシェル４２１は、合成樹脂製のもので、前記座アウターシェル４１の突起４１３と協働して前記案内レール機構４３を構成する前後方向に延びる複数本のスリット４２１ａを備えている。各スリット４２１ａは、平面視において前記突起４１３の基端部ｋｔに対応した幅寸法を有する幅狭部ｗｎと、この幅狭部ｗｎに連続して設けられ前記突起４１３の先端部ｓｔの通過を許容する幅寸法を有する幅広部ｗｍとを備えている。すなわち、座本体４２は、座アウターシェル４１から離脱できない状態で当該座アウターシェル４１に対してスライド移動可能なスライド領域ｒｓと座アウターシェル４１から離脱可能な離脱領域ｒｄとに位置させることができるものであり、スライド領域ｒｓにおいては突起４１３がスリット４２１ａの幅狭部ｗｎに位置し、離脱領域ｒｄにおいては突起４１３がスリット４２１ａの幅広部ｗｍに位置するようになっている。そして、レバーユニット４５が座アウターシェル４１のレバーユニット取付部４１４に正規の姿勢で取り付けられた場合に、離脱禁止部４５１ａによって座本体４２が離脱領域ｒｄに移動できないように構成している。
【００３３】
レバーユニット４５は、上面に突起状をなす離脱禁止部４５１ａを備えたフレーム４５１と、このフレーム４５１に上下方向に回動可能に支持され一端側を操作端４５２ｂとして外部に露出させるとともに他端側に係合爪４５２ａを備えたレバー４５２と、前記レバー４５２を前記係合爪４５２ａが上方に突出する方向に付勢するスプリング４５３とを備えたものである。そして、フレーム４５１を、座アウターシェル４１のレバーユニット取付部４１４にビスｖ２を用いて取り付けた状態で、離脱禁止部４５１ａが座アウターシェル４１に設けた第一の窓４１５を介して座アウターシェル４１上に突出するとともに、係合爪４５２ａが座アウターシェル４１に設けた第二の窓４１６を介して座アウターシェル４１上に突出するようにしてある。座インナーシェル４２１の第一の窓４１５に対応する部位には離脱禁止部４５１ａが挿入される溝４２１ｂが形成されている。この溝４２１ｂの前後方向の長さ寸法はスライド領域ｒｓに略対応させてある。すなわち、座本体４２が、スライド領域ｒｓ外にスライドしようとした場合には、当該離脱禁止部４５１ａが溝４２１ｂの端部に当接して座本体４２が離脱領域ｒｄにまで移動することができないようになっている。換言すれば、離脱禁止部４５１ａは、座本体４２の座アウターシェル４１に対する前後方向のスライド範囲を規制するためのスライド範囲規制手段４６を兼ねているものである。スライド範囲規制手段４６は、溝４２１ｂと離脱禁止部４５１ａとを主体に構成されている。
【００３４】
座インナーシェル４２１の第二の窓４１５に対応する部位には、前記レバーユニット４５の係合爪４５２ａが選択的に係合する複数の係合爪係合部４２１ｃが前後方向に間隔をあけて設けられている。すなわち、このレバーユニット４５と前記複数の係合爪係合部４２１ｃとによって、座本体４２を座アウターシェル４１に対して移動不能にロックするためのロック機構４４が構成されている。換言すれば、前記ロック機構４４は、前記座受たる座アウターシェル４１に設けられフレーム４５１に支持されたレバー４５２を操作することにより係合爪４５２ａがロック位置ｐｌとロック解除位置ｐｕとの間で作動するレバーユニット４５と、座本体４２に設けられ前記レバーユニット４５の係合爪４５２ａが係脱する係合爪係合部４２１ｃとを備えたものであり、前記レバー４５２の操作端４５２ｂを上方に回動操作して係合爪４５２ａと係合爪係合部４２１ｃとの係合を一時的に解除し前記係合爪４５２ａを異なった孔である係合爪係合部４２１ｃに係合させることにより座本体４２の座アウターシェル４１に対する位置を変更することができるようになっている。
【００３５】
このように、レバーユニット４５は、座アウターシェル４１に正規の姿勢で取付けられた場合に前記座本体４２が座アウターシェル４１から離脱するのを禁止するとともに前記正規の姿勢を解除した場合に前記座本体４２が座アウターシェル４１から離脱するのを許容する離脱禁止部４５１ａを備えたものであるため、レバーユニット４５を座アウターシェル４１から取り外すことにより座インナーシェル４２１を離脱領域まで移動させることが可能になり座アウターシェル４１から取り外すことができる。
【００３６】
背支桿５は、基端部を主軸ｊ３を介して支持基部２に支持された背支桿本体５１と、この背支桿本体５１の基端側をカバーする下の背支桿カバー５２と、上の背支桿カバー５３とを具備してなる。
【００３７】
背支桿本体５１は、板材により構成された下部フレーム５１１と、主にパイプ材により構成された上部フレーム５１２とを備えたものである。下部フレーム５１１は、支持基部２における側壁２２４の外面側に近接配置された左右の支持板５１１ａとこれら支持板５１１ａを剛結する立体構造をなす横架材５１１ｂとを具備してなる。
【００３８】
左右の支持板５１１ａは、鋼板により作られた平板状のもので、前端部が主軸ｊ３を介して支持基部３に回動可能に支持されている。左右の支持板５１１ａの後端部には、上部フレーム５１２を剛結するためのパイプ取付部５１１ｃを備えている。横架材５１１ｂは、上方に開放されたチャンネル状のもので、両端を溶接継ぎ手を介して前記支持板５１１ａの内側面に剛結されている。具体的には、横架材５１１ｂは、底壁ｘ１と、この底壁ｘ１の前縁に立設した前壁ｘ２と、この前壁ｘ２に対面させて前記底壁ｘ１の後縁に立設した後壁ｘ３とを備えたものである。
【００３９】
上部フレーム５１２は、基端部を前記パイプ取付部５１１ｃに溶接継ぎ手を介して剛結されたパイプ材５１２ａと、これらパイプ材５１２ａを結合する下ブラケット５１２ｂ及び上ブラケット５１２ｃとを備えたものである。前記下ブラケット５１２ｂ及び上ブラケット５１２ｃは前記パイプ材５１２ａに溶接継ぎ手を介して剛結されたもので、これら下ブラケット５１２ｂ及び上ブラケット５１２ｃに前記背凭れ６が取付けられるようになっている。
【００４０】
そして、この背支桿５と前記支持基部２との間に、背凭れ６を所望の後傾位置でロックするための背傾動ロック機構８が設けられている。背傾動ロック機構８は、背支桿５に設けられた係合部材５１３を支持基部３の壁を利用して設けられたロック孔２１３ａに係合させて背支桿５を所定の傾動位置にロックできるようにしたものである。すなわち、この背傾動ロック機構８は、支持基部２の後壁２１３に複数列の係合部たるロック孔２１３ａを上下方向に間隔をあけて設けておき、背支桿５に保持されて移動する係合部材５１３をそれらロック孔２１３ａの何れかに選択的に係合することができるようにしたものである。具体的には、前記係合部材５１３は、前記背支桿５の横架材５１１ｂの前壁ｘ２及び後壁ｘ３の下端に設けられたスリットにより前後動可能に保持された板状のもので、その前縁に前記ロック孔２１３ａのいずれかの列に係合可能な突起５１３ａを備えている。係合部材５１３は、付勢機構８ａにより前方に弾性付勢されるロック可能状態と後方に弾性付勢されるロック解除状態（図示せず）のいずれかの状態におかれる。付勢機構８ａは、ロック位置Ｐａとロック解除位置Ｐｂとの間で移動操作可能な後傾ロック操作レバー５１４と、この後傾ロック操作レバー５１４がロック位置Ｐａにある場合に係合部材５１３を前方に弾性付勢するとともに前記後傾ロック操作レバー５１４がロック解除位置Ｐｂにある場合に係合部材５１３を後方に弾性付勢するねじりコイルスプリング５１５とを具備してなる。ねじりコイルスプリング５１５は、一端を前記後傾ロック操作レバー５１４に支持させるとともに他端を係合部材５１３に支持させたものであり、前記後傾ロック操作レバー５１４をロック位置Ｐａからロック解除位置Ｐｂまで移動させる際に思案点を通過して前記係合部材５１３に対する付勢方向が反転するように配置されている。この実施形態における付勢機構８ａは、後傾ロック操作レバー５１４がロック位置Ｐａにある場合は前記係合部材５１３を前方に付勢し、後傾ロック操作レバー５１４がロック解除位置Ｐｂにある場合は前記係合部材５１３を後方に付勢するように構成されている。
【００４１】
下の背支桿カバー５２は、座面４ａよりも下に設けられており、ベルト等の支持部材Ｅによって吊り下げ支持された物品である災害対応用品セットＢが添接し得る添接部５２１を備えている。添接部５２１は、災害対応用品セットＢにおける収納部材Ｂ２の側面側が添接し得る縦部たる立壁５２１ａと前記収納部材Ｂ２の上面側が添接し得る横部たる天壁５２１ｂとを備えたものである。そして、立壁５２１ａ及び天壁５２１ｂを主体にして災害対応用品セットＢを配するための空間ｓｐが形成されている。すなわち、添接部５２１は背支桿５に配されたものであり、前記縦部が前記背支桿５に形成された立壁５２１ａであり、前記横部が前記背支桿５に形成された天壁５２１ｂである。
【００４２】
具体的に説明すれば、前記下の背支桿カバー５２は、支持基部２及び背支桿５の下部フレーム５１１の一部を下側から覆う底壁５２２と、この底壁５２２の後端から上方に立ち上がる前記立壁５２１ａと、この立壁５２１ａの上端から後方に延びる前記天壁５２１ｂと、これら天壁５２１ｂ、立壁５２１ａ、及び底壁５２２の両側に一体に設けられた左右の側壁５２４とを備えた合成樹脂製のもので、前記天壁５２１ｂと立壁５２１ａとによって、側面視Ｌ字状の部位を形成している。このようにして立壁５２１ａと天壁５２１ｂとを備えた物品の取付部である添接部５２１によって囲まれた前記空間ｓｐは、前記支持基部３の後方に形成されており、この空間ｓｐに前記天壁５２１ｂ及び立壁５２１ａに添接させた状態で物品である災害対応用品セットＢが配されている。災害対応用品セットＢは、収納部材Ｂ２に災害発生時に応急的に対応するための頭部保護用帽子や懐中電灯等の災害対応用品を収納させたものである。
【００４３】
上の背支桿カバー５３は、背支桿５の下部フレーム５１１と上部フレーム５１２の結合部分を覆うためのもので、ボルト挿通孔（図示せず）を通して下の背支桿カバー５２のナット部５２１ｃに螺着したボルト（図示せず）により背支桿本体５１に取付けられている。
【００４４】
背凭れ６は、背凭れ本体６１とこの背凭れ本体６１の後に配された背アウターシェル６２とを備えたものである。
【００４５】
背凭れ本体６１は、背インナーシェル６１２と、この背インナーシェル６１２の前面に添接させた背クッション（図示せず）と、この背クッション及び前記背インナーシェル６１２の周縁部を覆う張地である外装材６１３とを具備している。背インナーシェル６１２は、背アウターシェル６２により覆われる背アウターシェル取付領域６１２ａと、この背アウターシェル取付領域６１２ａよりも上に延出する上部延出領域６１２ｂとに区成される合成樹脂製のもので、前記背アウターシェル取付領域６１２ａは囲繞壁ｙａにより包囲されている。背アウターシェル取付領域６１２ａの背面側には、多数の縦リブｙｂ及び横リブｙｃが格子状に設けられており、これら縦リブｙｂ及び横リブｙｃを避ける位置に、上下の背支桿取付部ｙｄと、背アウターシェル６２の周縁部を取付けるための複数のボス部ｙｅと、前記背アウターシェル６２の上縁部並びにハンガーＨＧを固定するための四つのナット部ｙｆとが設けられている。上部延出領域６１２ｂは、背面側に多数の縦リブｙｇ及び横リブｙｈを備えたもので、前面及び背面のすべてが外装材６１３により覆われている。
【００４６】
背アウターシェル６２は、背アウターシェル本体６２１と、この背アウターシェル本体６２１の上部に配され使用者が把持し得るハンドル部６２２を有したハンドルユニットＨＵと、前記ハンドル部６２２の下側に形成された手指挿通用の開口部６２４の背面視における奥方に配された立壁部６２３とを備えている。
【００４７】
詳述すれば、背アウターシェル本体６２１は、前記背インナーシェル６１２の背アウターシェル取付領域６１２ａに対応する形状をなすもので、その周縁に前記背インナーシェル６１２の囲繞壁ｙａの外側に嵌合する周囲壁６２１ａを備えている。なお、背アウターシェル本体６２１の上端部中間領域には背面側に凹陥部６２１ｂが形成されておりこの凹陥部６２１ｂに対応する部分は前記周囲壁ｙａが存在していない。凹陥部６２１ｂは、前記ハンドル部６２２を装着するためのもので、その奥壁ｗｋに前記ハンドル部６２２を取付けるための取付部６２１ｃが設けられている。取付部６２１ｃは、平坦な座面ｚａとこの座面ｚａに対応する部位に貫設されたボルト挿通孔ｚｂとを備えている。またボルト挿通孔ｚｂの外側にはそれぞれハンガーＨＧを取り付けるためのハンガー用穴ｈ１が設けられている。背アウターシェル本体６２１における背インナーシェル６１２のボス部ｙｅに対応する部位にはボス部ｙｅに係わり合う凸状部６２１ｅが形成されている。
【００４８】
ハンドルユニットＨＵは、前記背アウターシェル本体６２１と別体に形成された合成樹脂製のもので、このハンドルユニットＨＵと背アウターシェル本体６２１とが、共通のボルトｖ３により前記背凭れ本体６１に対して共締めされている。具体的に説明すれば、ハンドルユニットＨＵは、前記背アウターシェル本体６２１の凹陥部６２１ｂに嵌合するもので左右の側壁ｚｃと、これら側壁ｚｃの上側に架設されたハンドル部６２２と、前記側壁ｚｃの下縁部間に架設された下壁ｚｄと、前記側壁ｚｃの前縁部間に架設された前壁ｚｅとを備えたもので、前記ハンドル部６２２と前記下壁ｚｄとの間に手指を挿入するための後方に向かって開口した開口部６２４が形成されている。前記前壁ｚｅには、ボルト挿通孔ｚｆが形成されており、このハンドルユニットＨＵを背アウターシェル６２の凹陥部６２１ｂに嵌合させた状態で前記前壁ｚｅが前記凹陥部６２１ｂの奥壁ｗｋに添接するとともにこの前壁ｚｅのボルト挿通孔ｚｆと前記奥壁ｗｋのボルト挿通孔ｚｂが合致するようになっている。またボルト挿通孔ｚｆの外側にはそれぞれハンガーＨＧを取り付けるためのハンガー用穴ｈ２が前記ハンガー用穴ｈ１に連通す位置に設けられている。そして、これらボルト挿通孔ｚｆ、ｚｂを通過させたボルトｖ３を背インナーシェル６１２のナット部ｙｆに螺着することによってハンドル部６２２と背アウターシェル本体６２１とを背凭れ本体６１に共締めしている。ハンドルユニットＨＵを背アウターシェル本体６２１の凹陥部６２１ｂに装着した状態では、このハンドルユニットＨＵの背面と背アウターシェル本体６２１の背面とが面一に連続するようになっている。なお、ハンドルユニットＨＵの前壁に設けられたボルト挿通孔ｚｆはボルトｖ３の頭部を収容するための座ぐり孔ｚｆ１を備えており、共締めしたボルトｖ３の頭部は前記前壁ｚｅ内に埋没するようになっている。この状態で、前記前壁ｚｅの背面に立壁部を構成するカバー６２３を着脱可能に添設している。
【００４９】
カバー６２３は、ボルトｖ３の頭部やその周囲の部位を外部から視認されないように覆い隠すとともに開口部６２４から挿入された手指が奥方に及んだ場合に当接され得るようにしたものである。カバー６２３は、背面視において前記開口部６２４を通して背凭れ本体６１が視認できない大きさに設定された樹脂製のものである。カバー６２３は、長方形状のもので下縁にハンドルユニットＨＵの位置決め孔ｚｇに係合する係合突起６２３ａを有するとともに、上縁に背アウターシェル本体６２１の係合孔６２１ｄに部材の弾性変形を利用して係合する弾性爪６２３ｂを備えている。このカバー６２３は後傾した状態で係合突起６２３ａを位置決め孔ｚｇに係合させた上で前方に回動させることにより前記弾性爪６２３ｂが前記係合孔６２１ｄに係合してハンドルユニットＨＵの前壁ｚｅの背面に添接した状態で装着されるようになっている。
【００５０】
以上のようにしてなる椅子本体Ｃは、図１３及び図１４に示すように、使用位置（Ｕ）からロッキング位置（Ｒ）まで背凭れ６を移動させることができるようになっており、後方への押圧力が解消した場合に前記背凭れ６が傾動反力発生機構９の働きにより使用位置（Ｕ）に自己復帰するようになっている。そして、シンクロロッキング機構ＳＹの働きにより、背凭れ６を傾動させた場合に、その傾動に連動して座４が一定の割合で傾動するように構成されている。
【００５１】
傾動反力発生機構９は、前記支持基部２内に設けられたもので、対をなすスプリングＳと、これらスプリングＳの基端部を保持する基端側スプリングリテーナ９１と、前記スプリングＳの先端部を保持する先端側スプリングリテーナ９２とを具備してなるもので、前記スプリングＳの付勢力を前記先端側スプリングリテーナ９２を介して前軸ｊ１に伝達することにより前記座４及び背凭れ６を使用位置（Ｕ）方向に付勢するようになっている。そして、前記基端側スプリングリテーナ９１の位置を反力調整機構９３により変更することにより前記スプリングＳによる付勢力の大きさを変更することができるようになっている。先端側スプリングリテーナ９２は、その前面に断面半円形をなす溝９２１を備えておりその溝９２１に前記前軸ｊ１の中間部分を保持させている。反力調整機構９３は、軸心を左右方向に向けて配設され反力調整レバー９４を回転操作することにより軸心回りに当該反力調整レバー９４と一体に回転する送りねじ部材９４１と、この送りねじ部材９４１に螺着され、当該送りねじ部材９４１の正逆回転に伴って左右方向に往復動作する進退部材９５と、この進退部材９５の左右方向への進退動作を前記基端側スプリングリテーナ９１の前後方向の位置変化に変換するカム機構９６とを備えた通常の構成のものである。
【００５２】
シンクロロッキング機構ＳＹは、座４を支持する座支持部材３の前端側を前軸ｊ１を介して支持基部２に前後移動可能に支持させるとともに前記座支持部材３の後端側を後軸ｊ２を介して背支桿５の途中に支持させたものである。このシンクロロッキング機構ＳＹによれば、背凭れ６を使用位置（Ｕ）からロッキング位置（Ｒ）まで後傾させた場合に、座支持部材３が後端側を沈み込ませながら後退動作を行うことになり、前軸ｊが支持基部２に配されたブッシュ２６の長孔２６１に沿って使用位置（Ｕ）からロッキング位置（Ｒ）にまで移動するようになっている。この椅子本体Ｃは、前記座４及び背凭れ６のシンクロロッキング動作に伴って往復動作を行う往復動部材たる前軸ｊ１と、この前軸ｊ１を初期位置ｐ２において係止する規制部材２５とを具備してなり、前記規制部材２５を取付ける前の状態において前記前軸ｊ１が前記スプリングＳの付勢力がゼロとなる組み付け位置ｐ１から前記初期位置ｐ２を経由してロッキング位置ｐ３にまで移動し得るように構成しておき、前記前軸ｊ１を前記初期位置ｐ２よりもロッキング位置ｐ３側に移動させた状態で前記規制部材２５を後付けできるように構成されている。すなわち、前記長孔２６１の一端側に前記規制部材２５を後付けするための規制部材取付部２６２が設けられている。
【００５３】
詳述すれば、前記支持基部２の前端部に長孔状をなす取付孔を形成しておき、この取付孔に前軸ｊ１を前後方向に往復動作可能に案内するための長孔２６１を有した樹脂製のブッシュ２６が設けられている。このブッシュ２６の前端側に前記長孔２６１に連続させて前記規制部材取付部２６２が形成されている。前記長孔２６１は、前記前軸ｊ１に対応した幅寸法を有しており、前記規制部材取付部２６２は、前記長孔２６１の幅寸法よりも大きな開口幅を有したものである。規制部材２５は、前記規制部材取付部２６２に嵌合し得る異形横断面を有する軸状のもので前記長孔２６１に臨む部位に前軸ｊ１を係止するための係止部２５１を備えている。前記前軸ｊ１は、通常使用時においては、規制部材２５の係止部２５１に当接する初期位置ｐ２から後方のロッキング位置ｐ３までの間で前後方向に往復動作するようになっている。規制部材２５は、内方端に位置決め用の鍔２５２を有するとともにその鍔２５２の内側に手指でつまむようにして把持可能なつまみ部２５３を備えており、そのつまみ部２５３を摘んで規制部材２５を前記規制部材取付部２６２に内側から挿入することにより後付けできるようにしてある。
【００５４】
なお、この規制部材２５と前記ブッシュ２６との間には、前記鍔２５２が前記ブッシュ２６に当接する正規の位置まで規制部材２５が挿入された状態で相互に係合する抜け止め機構２７が設けられている。抜け止め機構２７は、規制部材２５側に設けられた係合部２５４と、ブッシュ２６側に設けられ前記規制部材２５の挿入動作を利用して前記係合部２５４に弾性係合する弾性爪２６３とを備えたものである。前記長孔２６１を形成するブッシュ２６と規制部材２５は、前記前軸ｊ１の両端部に対応させて支持基部２の左右の側壁２１２にそれぞれ設けられている。
【００５５】
前記両規制部材２５が装着される前の段階においては、前軸ｊ１が前記規制部材取付部２６２内に進入する位置すなわち前記スプリングＳの付勢力がゼロとなる組み付け位置ｐ１に存在することが可能となる。そのため、規制部材２５を取付けていない前段階において組み付け位置ｐ１に前軸ｊ１を挿入して無負荷状態で先端側スプリングリテーナ９２に当接させ、しかる後に、背凭れ６を後傾させながら前軸ｊ１を前記初期位置ｐ２を通過させてロッキング位置ｐ３方向に移動させその状態で前記各規制部材２５を前記各規制部材取付部２６２にそれぞれ内側から装着する。その状態で背凭れ６に対する後方への押圧力を解除すれば前記スプリングＳの付勢力により前記前軸ｊ１が前方に移動し前記規制部材２５に当接する初期位置ｐ２で係止されることになる。初期位置ｐ２においては、スプリングＳの予圧により前記前軸ｊ１が初期位置ｐ２に安定保持され前記背凭れ６及び座４が使用位置（Ｕ）に静止した状態となる。
【００５６】
この実施形態における椅子本体Ｃは、前記座４及び背凭れ６のシンクロロッキング動作に伴って往復動作を行う往復動部材たる前軸ｊ１と、この前軸ｊ１の動作範囲における略全域に亘って当該前軸ｊ１を対向する二方向から挟圧しその往復動作に摩擦抵抗を与える樹脂製の抵抗部材２８とを具備している。
【００５７】
前記抵抗部材２８は、前記前軸ｊ１を挟持する対をなす挟圧部２８１とこれら挟圧部の一端同士を連結する第一の連結部２８２と前記挟圧部２８１の他端同士を連結する第二の連結部２８３とを備えた環状のものである。前記抵抗部材２８は、前記挟圧部２８１間の離間寸法ｗ２を前記前軸ｊ１の直径ｗ１、すなわち前軸ｊ１における挟圧方向の外径寸法ｗ１よりも小さく設定したものであり、部材の弾性反発力により前記両挟圧部２８１を前記抵抗部材２８に弾性的に圧接している。なお、前記挟圧部２８１間の離間距離ｗ２は、前軸ｊ１の前記外形寸法ｗ１の約５分の３に設定されている。前記抵抗部材２８は、前記ブッシュ２６に一体的に設けられたものである。抵抗部材２８は、前記第一、第二の連結部２８２、２８３が前記ブッシュ２６に一体化されているとともに前記両挟圧部２８１の大部分がスリットを介して前記ブッシュ２６と離間している。具体的に説明すれば、前記両挟圧部２８１は板ばね状のものであり、前記第一の連結部２８２はこれら両挟圧部２８１の端部を連結する側面視Ｕ字状をなすものである。第二の連結部２８３は、前記規制部材取付部２６２を兼ねたものであり、この規制部材取付部２６２と前記第一の連結部２８２とは前記ブッシュ２６と一体化されている。ブッシュ２６と抵抗部材２８は、ＰＯＭ（ポリアセタール）樹脂を用いて一体に成形されたものである。
【００５８】
この実施形態における椅子本体Ｃは、以上説明した構造に加え、次のような構成をなしている。この椅子本体Ｃの背凭れ６は、下半部６ｂがやや前傾した状態でその両端部が着座者の両側を包囲するように湾曲した幅広な形状をなすものである。上半部６ａは、側面視においてくの字状に屈曲する屈曲部６ｃを介して前記下半部６ｂに連続するやや後傾したものである。上半部６ａは、前記下半部６ｂよりも幅の狭い形態をなしている。そして、上半部６ａよりも前側方に延出した下半部６ｂの上面６ｓが肘掛け７の上面７ｓと略連続するように設定されている。
【００５９】
肘掛け７は、後方に開放された側面視コ字形をなす肘掛本体７１と、この肘掛本体７１を座４の座アウターシェル４１に取付ける取付アーム７２とを備えたもので、前記肘掛本体７１の上面である肘当て面７ｓが前記背凭れ６の下半部６ｂの上面６ｓに略連続するように設定されている。また、肘掛本体７１の下面７１１は、背凭れ６の下面６ｕと略連続するように設定されている。このようにしてなる椅子本体Ｃに前記災害対応用品セットＢが装着されている。換言すれば、この椅子Ａは、災害時に使用され得る災害対応用品を備えたもので、前記椅子本体Ｃと前記災害対応用品セットＢとを具備してなる。
【００６０】
災害対応用品セットＢは、収納部材Ｂ２の内部に一人分の内容に略相応する前記災害対応用品を収納させたものであり、この災害対応用品セットＢを取り付けるための取付部である添接部５２１を前記背支桿５に配している。すなわち、災害対応用品は、前記座４の座面４ｓよりも下の位置に配されている。災害対応用品セットＢは、添接部５２１に添接した状態で背支桿５に対して支持部材Ｅによって吊り下げ支持されている。この実施形態における支持部材Ｅは、端部に着脱可能な面ファスナを備えたベルト状の部材を主体に構成されたものであり、上の背支桿カバー５３上を通過させて背支桿５に巻回された上で、災害対応用品セットＢを吊り下げ支持している。
【００６１】
＜ハンガーの具体的構成＞
以下に、図２〜図２２に示した態様にハンガーを取り付けた状態とした本実施形態に係る椅子Ａについて、図１及び図２３〜図２６を参照して詳述する。
【００６２】
同実施形態に係る椅子Ａは、同図に示すように、ハンガー本体６３とこのハンガー本体６３を取り付けるためのハンガー取付具６４とを有したハンガーを背凭れ６に支持させ得るように構成した椅子Ａであって、前記背凭れ６が、使用者に把持され得るハンドル部６２２と、このハンドル部６２２を把持させるべく手指が挿通し得る開口部６２４とを備えてなり、前記開口部６２４に前記ハンガー取付具６４を挿通させ、前記ハンガー取付具６４の端部を前記開口部６２４の奥方に配された取付部６２１ｃに取り付けるように構成したことを特徴とする。
【００６３】
同実施形態に係る椅子Ａは、ハンガーを取り付けるべく、図９及び図１０に示すように、背凭れ本体６１側の四つのナット部ｙｆのうち外側の２つのナット部ｙｆ、及び背アウターシェル本体６２１及びハンドルユニットＨＵに設けたハンガー用孔ｈ１、ｈ２を利用する。
【００６４】
ハンガーは上述の通り、ハンガー本体６３及びハンガー取付具６４に加え、このハンガー取付具６４を被覆するためのカバー６５を有している。
【００６５】
ハンガー本体６３は、弾性変形可能な樹脂を一体に成形したものである。このハンガー本体６３は、断面を略同じ径とした棒状の樹脂を閉ループ形状に、概略Ｔ字枠状に成形したものである。斯かる概略Ｔ字枠状に成形することにより、ハンガー本体６３は下端並びに巾方向両端に亘って概略Ｔ字状をなす中空部６３ａが形成されている。またハンガー本体６３は樹脂素材を断面視概略扇形に成形することにより中空部６３ａの前側に前テーパ面６３ｂ、後ろ側に後テーパ面６３ｃが形成される。そしてハンガー本体６３は、当該Ｔ字枠の上側の水平部分に相当する衣類掛け６３１と、下側の概略Ｕ字状の部分に相当する昇降部６３２とを有している。昇降部６３２は、ハンガー取付具６４に対し上下昇降可能に構成されるもので、昇降動作の両端においてハンガー取付具６４側に当接する上突起６３２ａ及び下突起６３２ｂと、これら上突起６３２ａ及び下突起６３２ｂとの間に形成されたスライダ６３２ｃとを有する。このスライダ６３２ｃがハンガー取付具６４側と適宜係り合いながらハンガー本体６３は動作範囲の中間において位置決めされる所謂クリックストップ構造を実現するが、当該クリックストップ構造は従来のものと同様であるため詳細な説明を省略する。
【００６６】
ハンガー取付具６４は、背凭れ６から後方に突出し、ハンガー本体６３を前記背凭れ６から離間させて支持するものである。このハンガー取付具６４は、前方からハンガー本体６３を支持する内ベース６４１と、この内ベース６４１を覆うように取り付けられ、内ベース６４１とともにハンガー本体６３を挟持する外ベース６４２とを有している。内ベース６４１は、開口部６２４の上縁及び下縁に略隙間無く接し、且つ開口部６２４の背面視全域を略閉塞し得る大きさに設定された被装着部６４３と、開口部６２４から後方へ向けて突出する突出部６４４と、突出部６４４の先端においてハンガー本体６３を支持するハンガー支持部６４５と、前記スライダ６３２ｃを弾性付勢するスプリング６４７及びクリック板６４６とを有している。被装着部６４３は、背アウターシェル６２の外面よりも内側の位置に配されたものであり、両端付近において背アウターシェル６２側に第一ハンガーボルトｈｖ１を用いて取り付けるためのボルト挿通孔ｈ３と、当該ボルト挿通孔ｈ３の若干内側において第二ハンガーボルトｈｖ２を用いてハンガー本体６３を取り付けるためのハンガー取付穴ｈ４とを有している。そして図２６に示すように第二ハンガーボルトｈｖ２はハンガー本体６３を取り付けた状態においてハンドルユニットＨＵを共締めするためのボルトｖ３に対し軸心を同じく背反する向きに取り付けられる。これによりハンガー取付具６４の取付スペースを有効に確保せしめている。外ベース６４２は、ハンガー本体６３を支持するハンガー支持面６４２ａと、前記突出部６４４の寸法に応じて後方へ延出する延出部と、ハンガー本体を取り付けるための第二ハンガーボルトｈｖ２を螺着するためのめねじ穴６４２ｃとを有している。
【００６７】
カバー６５は、ハンガー取付具６４を取り付けた状態で当該ハンガー取付具６４を被覆するものであり、当該カバー６５を取り付けた状態において当該カバー６５及び背アウターシェル６２は段差のない曲線状の外形を形成する。当該カバー６５は、開口部６２４の周縁に挿入される挿入縁６５１ａ及び背アウターシェル６２に対し面一に連続する化粧面６５１ｂとを有する開口挿入部６５１と、この開口挿入部６５１から後方に隆起する隆起部６５２とを有している。
【００６８】
そして本実施形態では上述の通り、ハンガー取付具６４が開口部６２４の略全域を覆うように構成しているため、ハンガーを取り付けると開口部６２４に手指を挿入してハンドル部６２２にアクセスすることができない。しかしながらこのハンドル部６２２は上方からアクセスし得るように構成されているため、使用者は背凭れ６を掴む際には背アウターシェル６２の上方からハンドル部６２２を掴むようにすれば良い。
【００６９】
以上のような構成とすることにより、本実施形態に係る椅子Ａは、ハンドル部６２２ではなく、ハンガー取付具６４の端部を前記開口部６２４の奥方に配された取付部に取り付けるように構成したことにより、背凭れ６、特にハンドル部６２２及びその近傍の形状に関係無く容易且つ安定して取り付けることができ、強度も有効に担保されたハンガーを実現している。
【００７０】
そして本実施形態では、後方に向かって開口したハンドル部６２２に後方からアクセスするための開口部６２４を利用してハンガーを取り付けているので、背凭れ６の上方に開口した箇所を利用する場合よりもハンガーを掛けた衣類が背凭れ６に干渉し難い構成となっている。
【００７１】
そして本実施形態では、後方に向かって開口した開口部６２４を利用してハンガーを取り付けたとしても前記ハンドル部６２２は、使用者が上方からアクセスし得るので、背凭れ６を把持することによる椅子Ａの容易な取り回しは有効に担保されている。
【００７２】
そして本実施形態ではハンガー本体６３を背凭れ６から離間させて支持することで、ハンガー本体６３に掛けた衣類がさらに背凭れ６に干渉し難いものとなっている。
【００７３】
加えて本実施形態では、ハンガー取付具６４がボルト挿通孔を有した被装着部を背アウターシェル６２の外面よりも内側の位置に配することで、ハンガーの取付箇所が不要に目立ったり、衣類に干渉したりすることを有効に回避している。
【００７４】
また本実施形態では、ハンガー本体６３の全体が、内部に中空部６３ａを形成した閉ループ構造をなしており、前記ハンガー本体６３が前記ハンガー取付具６４に対して上下昇降可能に支持される態様を適用することにより、使用者によって掴みやすく、容易な昇降動作を実現し得る。
【００７５】
特に本実施形態では、ハンガー本体６３の全体を弾性変形可能に構成しているので、ハンガー取付具６４に対して適宜弾性変形することで種々の持ち方によりハンガー本体６３を上下動させるべく外力を加えても、常に安定した昇降動作を担保している。
【００７６】
そして本実施形態ではハンガー取付具６４を、前記開口部６２４の上下縁に接し得る大きさに設定しているので、ハンガー本体６３からの荷重によるハンガー取付具６４の開口部６２４に対するがたつきが有効に解消されている。
【００７７】
特にハンガー取付具６４を、開口部６２４の背面視全域を略閉塞するようにすることで、上記のがたつきの解消のみならず、開口部６２４に使用者の手指が挿入しづらいような不要な隙間を形成することをも有効に回避している。
【００７８】
また本実施形態では、前記背凭れ６が、背凭れ本体６１と、この背凭れ本体６１の後に配された背アウターシェル６２とを備えてなり、この背アウターシェル６２が前記ハンドル部６２２及び開口部６２４を備え、当該開口部６２４を利用してハンガーを取り付けているので、ハンガーが背凭れ本体６１に不要な干渉を来すことを有効に回避している。
【００７９】
以上、本発明の実施形態について説明したが、各部の具体的な構成は、上述した実施形態のみに限定されるものではなく、本発明の趣旨を逸脱しない範囲で種々変形が可能である。
【００８０】
例えば、上記実施形態では上記実施形態では背凭れの後方に向けて開口する開口部を介してハンガーを取り付ける態様を開示したが、勿論、背凭れの上方に向けて開口する開口部を介してハンガーを取り付ける態様を適用したものであってもよい。またハンガーの具体的な形状や開口部の配置、形状といった具体的な態様は上記実施形態のものに限定されることはなく、既存のものを含め、種々の態様のものを適用することができる。
【００８１】
その他、各部の具体的構成についても上記実施形態に限られるものではなく、本発明の趣旨を逸脱しない範囲で種々変形が可能である。
【産業上の利用可能性】
【００８２】
本発明はオフィス等において好適に用いられる、背凭れにハンガーを取り付けてなる椅子として利用することができる。
【符号の説明】
【００８３】
６…背凭れ
６２２…ハンドル部
６２４…開口部
６２１ｃ…取付部
ＨＧ…ハンガー
６３…ハンガー本体
６４…ハンガー取付具
【図１】
2015084858.tif 000003
【図２】
2015084858.tif 000004
【図３】
2015084858.tif 000005
【図４】
2015084858.tif 000006
【図５】
2015084858.tif 000007
【図６】
2015084858.tif 000008
【図７】
2015084858.tif 000009
【図８】
2015084858.tif 000010
【図９】
2015084858.tif 000011
【図１０】
2015084858.tif 000012
【図１１】
2015084858.tif 000013
【図１２】
2015084858.tif 000014
【図１３】
2015084858.tif 000015
【図１４】
2015084858.tif 000016
【図１５】
2015084858.tif 000017
【図１６】
2015084858.tif 000018
【図１７】
2015084858.tif 000019
【図１８】
2015084858.tif 000020
【図１９】
2015084858.tif 000021
【図２０】
2015084858.tif 000022
【図２１】
2015084858.tif 000023
【図２２】
2015084858.tif 000024
【図２３】
2015084858.tif 000025
【図２４】
2015084858.tif 000026
【図２５】
2015084858.tif 000027
【図２６】
2015084858.tif 000028